(57)【特許請求の範囲】
【請求項１】
現用ノードと同様の光伝送装置を有する予備ノードを備えた通信装置による光伝送路送受信方法において、
前記予備ノードは、
互いの光伝送装置のクライアントポート入出力が接続された前記現用ノードから、相手側通信装置の現用ノードまでの間を往復させるフレームを送信する送信ステップと、
前記送信ステップにおいて送信し往復したフレームを受信する受信ステップと、
前記受信ステップにおいて受信したフレームに基づいて、警報状態を更新する警報状態更新ステップと、
前記受信ステップにおいて受信したフレームに基づいて、性能情報を蓄積する性能情報蓄積ステップとを有する
ことを特徴とする光伝送路送受信方法。
【請求項２】
前記予備ノードは、前記性能情報蓄積ステップにおいて蓄積した性能情報を所定周期単位で取得して更新する性能情報更新ステップを有する
ことを特徴とする請求項１記載の光伝送路送受信方法。
【請求項３】
前記予備ノードは、前記警報状態更新ステップおよび前記性能情報更新ステップにおいて更新した警報状態および性能情報を外部端末に通知する通知ステップを有する
ことを特徴とする請求項２記載の光伝送路送受信方法。
【請求項４】
前記通知ステップにおける通知には、前記警報状態および前記性能情報の表示指示が含まれる
ことを特徴とする請求項３記載の光伝送路送受信方法。
【請求項５】
現用ノードと同様の光伝送装置を有する予備ノードを備えた通信装置において、
前記予備ノードは、
互いの光伝送装置のクライアントポート入出力が接続された前記現用ノードから、相手側通信装置の現用ノードまでの間を往復させるフレームを送信する送信部と、
前記送信部により送信され往復したフレームを受信する受信部と、
前記受信部により受信されたフレームに基づいて、警報状態を更新する警報状態更新部と、
前記受信部により受信されたフレームに基づいて、性能情報を蓄積する性能情報蓄積部とを備えた
ことを特徴とする通信装置。
【請求項６】
前記性能情報を所定周期単位で取得して更新する性能情報取得・更新部を備えることを特徴とする請求項５記載の通信装置。
【発明の詳細な説明】
【技術分野】
【０００１】
この発明は、現用ノードと同様の光伝送装置を有する予備ノードを備えた通信装置による相手側通信装置との導通試験を行うための光伝送路送受信方法、およびその通信装置に関するものである。
【背景技術】
【０００２】
光ネットワークシステムを現地に据付けた際に実施される従来の光伝送路導通試験では、通信装置の設置箇所に人員を配置し、人手で測定器を接続して伝送品質を試験していた。しかしながら、この方法では、多くの人員が必要なことや測定器の準備に時間がかかることなどから運用コスト上の課題があった。
【０００３】
この改善策として、例えば特許文献１に開示された技術がある。特許文献１に開示された光ネットワークシステムでは、試験信号発生回路および試験照合回路を組み込んだＴＰＮＤ（トランスポンダ）を備えている。なお、ＴＰＮＤとは、光ネットワークシステムにおいて、外部クライアント装置からの光信号（以下、クライアント信号）を多重化し、任意の波長の光信号に相互変換する光伝送装置である。
この光ネットワークシステムでは、まず、光ネットワークの監視制御端末（ＯｐＳ）が光伝送経路（光パス）を設定する。その後、その光パスの送信側ＴＰＮＤのクライアント信号入力部を試験信号発生回路に切り替え、さらに受信側ＴＰＮＤのクライアント信号出力部を試験照合回路に切り替えることで、品質評価を行う。これによって測定器が不要となるだけでなく、ＴＰＮＤのクライアント信号入出力部のファイバ接続を変える必要がないため、低コストで光伝送路導通試験を実施することが可能となる。
【先行技術文献】
【特許文献】
【０００４】
【特許文献１】特開２００２−２２３１９７号公報
【発明の概要】
【発明が解決しようとする課題】
【０００５】
しかしながら、特許文献１に開示された従来技術では、試験信号発生回路および試験照合回路がＴＰＮＤ内部に組み込まれている。そのため、クライアントインタフェースモジュール（ＩＦモジュール）を含む区間については品質評価ができないという課題があった。
【０００６】
さらに、近年、１つのＴＰＮＤにおいて、複数のＩＦモジュールを実装し、複数のクライアント信号をクライアントＣＨ毎に時分割で送信し、波長単位の伝送速度を向上させるＭＰＮＤ（マクスポンダ：多重ＴＰＮＤ）のような光伝送装置が開発されている。このようなＭＰＮＤに対して、校正された測定器を用いて光伝送路導通試験を行う場合、ＳＴＭ−６４や１０ＧｂＥ−ＬＡＮなど、様々な信号種別のクライアント信号に対応した測定器をそれぞれ用意する必要があり、運用コストが増大するという課題が発生する。
【０００７】
この発明は、上記のような課題を解決するためになされたもので、測定器を用いることなくＩＦモジュールを含む区間について品質評価を行うことができ、また、ＭＰＮＤの光伝送装置に対しても運用コストを増大することなく品質評価を行うことができる光伝送路送受信方法および通信装置を提供することを目的としている。
【課題を解決するための手段】
【０００８】
この発明に係る光伝送路送受信方法は、現用ノードと同様の光伝送装置を有する予備ノードを備えた通信装置による光伝送路送受信方法において、予備ノードは、互いの光伝送装置のクライアントポート入出力が接続された現用ノードから、相手側通信装置の現用ノードまでの間を往復させるフレームを送信する送信ステップと、送信ステップにおいて送信し往復したフレームを受信する受信ステップと、受信ステップにおいて受信したフレームに基づいて、警報状態を更新する警報状態更新ステップと、受信ステップにおいて受信したフレームに基づいて、性能情報を蓄積する性能情報蓄積ステップとを有するものである。
【発明の効果】
【０００９】
この発明によれば、上記のように構成したので、予備ノードを用いることで、測定器を用いることなくＩＦモジュールを含む区間について品質評価を行うことができ、また、ＭＰＮＤの光伝送装置に対しても運用コストを増大することなく品質評価を行うことができる。
【図面の簡単な説明】
【００１０】
【図１】この発明の実施の形態１に係る光ネットワークシステムの構成を示す図である。
【図２】この発明の実施の形態１における予備ノードのマルチレート対応ＭＰＮＤ部の構成を示す図である。
【図３】この発明の実施の形態１における予備ノードの監視制御基板の構成を示す図である。
【図４】この発明の実施の形態１に係る通信装置による光伝送路導通試験動作を示すフローチャートである。
【図５】この発明の実施の形態２における予備ノードの監視制御基板の構成を示す図である。
【図６】この発明の実施の形態２に係る通信装置による光伝送路導通試験動作を示すフローチャートである。
【発明を実施するための形態】
【００１１】
以下、この発明の実施の形態について図面を参照しながら詳細に説明する。
実施の形態１．
図１はこの発明の実施の形態１に係る光ネットワークシステムの構成を示す図である。図１では２つの通信装置１（Ａ局１ａ、Ｂ局１ｂ）を備えた場合を示しており、Ａ局１ａを自局とし、Ｂ局１ｂを対向局として説明を行う。
【００１２】
Ａ局１ａは、図１に示すように、波長多重部１１ａ、現用ノード１２ａ、予備ノード１３および表示端末（外部端末）１４から構成されている。
【００１３】
波長多重部１１ａは、現用ノード１２ａの各マルチレート対応ＭＰＮＤ部１２１ａ−１〜１２１ａ−Ｎからの光信号を多重するものである。この波長多重部１１ａにより多重された光信号はＢ局１ｂの波長多重部１１ｂに出力される。また、波長多重部１１ａは、Ｂ局１ｂの波長多重部１１ｂからの光信号を現用ノード１２ａの該当するマルチレート対応ＭＰＮＤ部１２１ａ−１〜１２１ａ−Ｎに出力する。
【００１４】
現用ノード１２ａは、通常の通信時においてＢ局１ｂとの間で通信を行うものである。この現用ノード１２ａは、複数のマルチレート対応ＭＰＮＤ部１２１ａ−１〜１２１ａ−Ｎおよび監視制御基板１２２ａを有している。なお以下において、特に区別する必要が無い場合には、マルチレート対応ＭＰＮＤ部１２１ａ−１〜１２１ａ−Ｎを単にマルチレート対応ＭＰＮＤ部１２１ａと称す。
【００１５】
マルチレート対応ＭＰＮＤ部１２１ａは、複数のＩＦモジュールを有し、当該各ＩＦモジュールを介して外部クライアント装置（不図示）から送信されたクライアント信号を時分割多重化し、任意の波長の光信号に変換するものである。このマルチレート対応ＭＰＮＤ部１２１ａにより多重された光信号は波長多重部１１ａに送信される。また、マルチレート対応ＭＰＮＤ部１２１ａは、波長多重部１１ａからの光信号を分割して該当するＩＦモジュールを介して外部クライアント装置に送信する。
監視制御基板１２２ａは、各マルチレート対応ＭＰＮＤ部１２１ａの動作を監視制御するものである。
【００１６】
予備ノード１３は、現用ノード１２ａのいずれかのマルチレート対応ＭＰＮＤ部１２１ａに障害が発生した場合に、代わりにＢ局１ｂとの間で通信を行うものである。また、予備ノード１３は、Ａ局１ａ−Ｂ局１ｂ間の光伝送路導通試験を実施する機能も有している。なお以下では、予備ノード１３の構成・動作のうち、光伝送路導通試験機能に関する構成・動作についてのみ説明を行う。この予備ノード１３は、１つのマルチレート対応ＭＰＮＤ部１３１および監視制御基板１３２を有している。
【００１７】
マルチレート対応ＭＰＮＤ部１３１は、複数のＩＦモジュールを有し、当該各ＩＦモジュールを介して接続先（図１では現用ノード１２ａのマルチレート対応ＭＰＮＤ１２１ａ−１）との間で光信号の送受信を行うものである。
監視制御基板１３２は、マルチレート対応ＭＰＮＤ部１３１の動作を監視制御するものである。
このマルチレート対応ＭＰＮＤ部１３１および監視制御基板１３２の詳細構成については後述する。
【００１８】
表示端末１４は、ユーザが光伝送路導通試験を実施する際に操作する画面や、その試験結果を表示するものである。この表示端末１４には光伝送路導通試験用のプログラムがインストールされ、表示制御部１４１および通信部１４２を有している。
【００１９】
表示制御部１４１は、プログラムに応じて、表示端末１４の画面上に、ユーザに対する各種操作画面や試験結果画面などを表示するものである。
通信部１４２は、プログラムに応じて、予備ノード１３の監視制御基板１３２との間で通信を行うものである。
【００２０】
一方、Ｂ局１ｂは、図１に示すように、波長多重部１１ｂおよび現用ノード１２ｂから構成されている。
【００２１】
波長多重部１１ｂは、現用ノード１２ｂの各マルチレート対応ＭＰＮＤ部１２１ｂ−１〜１２１ｂ−Ｎからの光信号を多重するものである。この波長多重部１１ｂにより多重された光信号はＡ局１ａの波長多重部１１ａに出力される。また、波長多重部１１ｂは、Ａ局１ａの波長多重部１１ａからの光信号を現用ノード１２ｂの該当するマルチレート対応ＭＰＮＤ部１２１ｂ−１〜１２１ｂ−Ｎに出力する。
【００２２】
現用ノード１２ｂは、通常の通信時においてＡ局１ａとの間で通信を行うものである。この現用ノード１２ｂは、複数のマルチレート対応ＭＰＮＤ部１２１ｂ−１〜１２１ｂ−Ｎおよび監視制御基板１２２ｂを有している。なお以下において、特に区別する必要が無い場合には、マルチレート対応ＭＰＮＤ部１２１ｂ−１〜１２１ｂ−Ｎを単にマルチレート対応ＭＰＮＤ部１２１ｂと称す。
【００２３】
マルチレート対応ＭＰＮＤ部１２１ｂは、複数のＩＦモジュールを有し、当該各ＩＦモジュールを介して外部クライアント装置（不図示）から送信されたクライアント信号を時分割多重し、任意の波長の光信号に変換するものである。このマルチレート対応ＭＰＮＤ部１２１ｂにより多重された光信号は波長多重部１１ｂに送信される。また、マルチレート対応ＭＰＮＤ部１２１ｂは、波長多重部１１ｂからの光信号を分割して該当するＩＦモジュールを介して外部クライアント装置に送信する。
監視制御基板１２２ｂは、マルチレート対応ＭＰＮＤ部１２１ｂの動作を監視制御するものである。
【００２４】
なお、図１では説明の便宜上、マルチレート対応ＭＰＮＤ部１２１ａ，１２１ｂ，１３１のＩＦモジュールを３種類（ＳＴＭ−６４，１０ＧｂＥ，ＯＴＵ２）としているが、これに限るものではなく、２つ以上の任意の数・種別のＩＦモジュールであればよい。
【００２５】
次に、マルチレート対応ＭＰＮＤ部１３１および監視制御基板１３２の詳細構成について図２，３を参照しながら説明する。
マルチレート対応ＭＰＮＤ部１３１は、図２に示すように、フレーム送信部１３１１、フレーム受信部１３１２、警報状態更新部１３１３、性能情報蓄積部１３１４、性能情報クリア部１３１５およびメモリ１３１６から構成されている。
【００２６】
フレーム送信部１３１１は、監視制御基板１３２からの指示に応じて、マルチレート対応ＭＰＮＤ部１３１のＩＦモジュールを介して接続先のＩＦモジュールに、試験対象（図１では光パス１２１ａ−１〜１２１ｂ−１）を往復させる光信号（テストフレーム）を送信するものである。
フレーム受信部１３１２は、フレーム送信部１３１１により送信され、試験対象を往復したテストフレームを受信するものである。
【００２７】
警報状態更新部１３１３は、フレーム受信部１３１２により受信されたテストフレームに基づいて警報状態を取得し、メモリ１３１６内の警報状態を更新するものである。
性能情報蓄積部１３１４は、フレーム受信部１３１２により受信されたテストフレームに基づいて性能情報を取得し、メモリ１３１６内に蓄積するものである。
【００２８】
性能情報クリア部１３１５は、監視制御基板１３２に性能情報を通知した後、メモリ１３１６内の性能情報をクリアするものである。
メモリ１３１６は、警報状態更新部１３１３からの指示に従い警報状態を更新し、性能情報蓄積部１３１４からの指示に従い性能情報を蓄積するものである。また、メモリ１３１６は、性能情報クリア部１３１５からの指示に従い蓄積している性能情報をクリアする。
【００２９】
また、監視制御基板１３２は、図３に示すように、フレーム送信指示部１３２１、警報状態取得・更新部１３２２、性能情報取得・更新部１３２３およびメモリ１３２４から構成されている。
【００３０】
フレーム送信指示部１３２１は、表示端末１４の通信部１４２からの指示に従い、マルチレート対応ＭＰＮＤ部１３１のフレーム送信部１３１１に対してフレーム強制送信を指示するものである。
【００３１】
警報状態取得・更新部１３２２は、所定周期で、マルチレート対応ＭＰＮＤ部１３１のメモリ１３１６内の警報状態を取得し、自身のメモリ１３２４内の警報状態を更新するものである。
性能情報取得・更新部１３２３は、所定周期で、マルチレート対応ＭＰＮＤ部１３１のメモリ１３１６内の性能情報を取得し、自身のメモリ１３２４内の性能情報を更新するものである。
【００３２】
メモリ１３２４は、警報状態取得・更新部１３２２からの指示に従い警報状態を更新し、性能情報取得・更新部１３２３からの指示に従い性能情報を更新するものである。
【００３３】
そして、現用ノード１２ａと現用ノード１２ｂとの間におけるＩＦモジュールを含む区間として、例えば光パス１２１ａ−１〜１２１ｂ−１間の光伝送路導通試験を実施する場合、以下の通りファイバ接続を行う。
すなわち、図１に示すように、マルチレート対応ＭＰＮＤ部１３１の各クライアントポート出力をマルチレート対応ＭＰＮＤ部１２１ａ−１の各クライアントポート入力に、マルチレート対応ＭＰＮＤ部１２１ａ−１の各クライアントポート出力をマルチレート対応ＭＰＮＤ部１３１の各クライアントポート入力にそれぞれファイバ接続する。また、マルチレート対応ＭＰＮＤ部１２１ｂ−１の各クライアントポート出力をそれぞれ自身のクライアントポート入力に折り返しファイバ接続する。
【００３４】
そして、上記接続完了後、表示端末１４を介してユーザにより光伝送路導通試験の開始が指示されることで、監視制御基板１３２は、マルチレート対応ＭＰＮＤ部１３１の任意のクライアントポートに対して任意のパターンのテストフレームを送信させる。その後、このテストフレームは、光パス１２１ａ−１〜１２１ｂ−１間を往復して自身のクライアントポート入力に戻ってくる。そして、この戻ってきたテストフレームから警報状態および性能情報（ビット誤りカウント／ビットエラー等）を取得し、その結果を表示端末１４に表示する。これにより、光パス１２１ａ−１〜１２１ｂ−１間の伝送品質を評価することができる。
以下、光伝送路導通試験動作の詳細について説明する。
【００３５】
図４はこの発明の実施の形態１に係る通信装置１による光伝送路導通試験動作を示すフローチャートである。
通信装置１における光伝送路導通試験動作では、図４に示すように、ユーザにより表示端末１４内の光伝送路導通試験用のプログラムを用いて測定開始が指示されると、まず、表示制御部１４１は、通信部１４２に対して測定開始を指示する（ステップＳＴ１）。なお、この際、ユーザは、マルチレート対応ＭＰＮＤ部１３１の位置やクライアントポート番号を指定する必要がある。
【００３６】
次いで、通信部１４２は、予備ノード１３の監視制御基板１３２を介してユーザにより指定された箇所にＩＦモジュールが実装されているかを確認する（ステップＳＴ２）。
このステップＳＴ２において、通信部１４２は、ＩＦモジュールが正しく実装されていると判断した場合には、監視制御基板１３２に対して測定開始を指示する（ステップＳＴ３）。
【００３７】
次いで、測定開始指示を受けた監視制御基板１３２のフレーム送信指示部１３２１は、ユーザにより指定されたマルチレート対応ＭＰＮＤ部１３１に対して、ユーザにより指定されたクライアントポートへのフレーム強制送信を指示する（ステップＳＴ４）。
次いで、マルチレート対応ＭＰＮＤ部１３１のフレーム送信部１３１１は、内蔵されたＦＥＣ  ＬＳＩの機能を用いて、当該クライアントポートに対してテストフレーム送信を開始する（ステップＳＴ５、フレーム送信ステップ）。その後、送信したテストフレームは、試験対象（図１では光パス１２１ａ−１〜１２１ｂ−１）を往復してＩＦモジュールの受信側へ戻る。
【００３８】
次いで、マルチレート対応ＭＰＮＤ部１３１は、数マイクロ秒周期（ＩＦモジュールの伝送レートにより変化する）で以下の処理を実施する。
すなわち、まず、フレーム受信部１３１２は、戻ってきたテストフレームを受信する（ステップＳＴ６、フレーム受信ステップ）。そして、警報状態更新部１３１３は、当該テストフレームのＬＯＳ・ＬＯＦ等の警報状態を判定して、最新の状態をメモリ１３１６に上書き更新する（ステップＳＴ７、警報状態更新ステップ）。また、性能情報蓄積部１３１４は、エラービット数等の性能情報をメモリ１３１６に加算方式で蓄積する（ステップＳＴ８、性能情報蓄積ステップ）。
【００３９】
次いで、監視制御基板１３２は、他の周期処理とは非同期で、所定周期（１秒間隔）で以下の処理を実施する。
すなわち、まず、警報状態取得・更新部１３２２は、マルチレート対応ＭＰＮＤ部１３１に対して、警報状態取得要求メッセージを送信する（ステップＳＴ９）。そして、マルチレート対応ＭＰＮＤ部１３１のメモリ１３１６に蓄積された警報状態を応答として受け取り、最新の状態を監視制御基板１３２内のメモリ１３２４に上書き更新する（ステップＳＴ１０）。
同様に、性能情報取得・更新部１３２３は、マルチレート対応ＭＰＮＤ部１３１に対して性能情報取得要求メッセージを送信する（ステップＳＴ１１）。そして、マルチレート対応ＭＰＮＤ部１３１のメモリ１３１６に蓄積された１秒分の性能情報を応答として受け取り、１秒間のエラービット数をビットエラーレートに変換した後、監視制御基板１３２内のメモリ１３２４に上書き更新する（ステップＳＴ１２、性能情報更新ステップ）。また、この際、性能情報クリア部１３１５は、マルチレート対応ＭＰＮＤ部１３１のメモリ１３１６に蓄積された過去１秒分の性能情報をクリアする（ステップＳＴ１３）。これにより、監視制御基板１３２内のメモリ１３２４には常に最新１秒間の性能情報が保持されることになる。
【００４０】
次いで、監視制御基板１３２内のメモリ１３２４に蓄積された最新の警報状態や性能情報をリアルタイムに表示端末１４に表示するため、表示端末１４のプログラムは、他の周期処理とは非同期で、所定周期（１秒間隔）で以下の処理を実施する。
すなわち、まず、通信部１４２は、監視制御基板１３２に対して警報状態・性能情報取得要求メッセージを送信（ステップＳＴ１４）し、監視制御基板１３２のメモリ１３２４に蓄積された警報状態および性能情報を応答として受け取る。そして、通信部１４２は、受け取った応答をユーザが理解しやすい内容に加工してから、表示制御部１４１に対して加工した内容で画面を更新するよう指示する（ステップＳＴ１５）。そして、表示制御部１４１は表示端末１４の画面上に測定結果を表示する（ステップＳＴ１６）。
【００４１】
一方、ユーザにより表示端末１４内のプログラムを用いて測定終了が指示された場合には、測定開始と同様のシーケンス（ステップＳＴ１７〜２０）を経て、マルチレート対応ＭＰＮＤ部１３１はテストフレームの送信を停止する（ステップＳＴ２１）。これにより、光伝送路導通試験を終了することができる。
【００４２】
以上のように、この実施の形態１によれば、予備ノード１３を用いて、テストフレームを現用ノード１２ａから現用ノード１２ｂ間で往復させて、戻ってきたテストフレームから警報状態や性能情報を取得するように構成したので、測定器を用いることなくＩＦモジュールを含む区間について品質評価を行うことができ、また、ＭＰＮＤの光伝送装置に対して運用コストを増大することなく品質評価を行うことができる。また、表示端末１４内のプログラムにより、ユーザ操作や試験結果表示といったユーザインタフェースを測定器のインタフェースに近づけることができるため、測定器と同等の操作性を維持することができる。
【００４３】
実施の形態２．
図４に示すように、実施の形態１では、監視制御基板１３２が１秒周期で警報状態および性能情報を更新する処理と、表示端末１４のプログラムが１秒周期で警報状態および性能情報を取得する処理とが非同期であるとして説明を行った。そのため、両者の同期間隔に僅かでもずれがあった場合、表示端末１４に表示される情報が一部欠落する可能性がある。そこで、実施の形態２では、図４に示すフローに対して上記可能性を排除したフローを示す。
図５はこの発明の実施の形態２における予備ノード１３の監視制御基板１３２の構成を示す図である。図５に示す実施の形態２における監視制御基板１３２は、図３に示す実施の形態１における監視制御基板１３２に通知部１３２５を追加したものである。その他の構成は同様であり、その説明を省略する。
【００４４】
通知部１３２５は、所定周期で、警報状態取得・更新部１３２２により更新された警報状態および性能情報取得・更新部１３２３により更新された性能情報を表示装置１４に通知するものである。なお、この通知には、警報状態および性能情報の表示指示が含まれている。
【００４５】
図６はこの発明の実施の形態２に係る通信装置による光伝送路導通試験動作を示すフローチャートである。
この図６に示す実施の形態２に係る通信装置による光伝送路導通試験動作において、測定開始指示（ステップＳＴ１）から性能情報クリア（ステップＳＴ１３）までの処理、および、画面更新指示（ステップＳＴ１５）からフレーム送信停止（ステップＳＴ２１）までの処理は、図４に示す実施の形態１に係る通信装置による光伝送路導通試験動作と同様である。
【００４６】
実施の形態１と異なる点は、監視制御基板１３２内のメモリ１３２４を最新の警報状態および性能情報で更新した段階（ステップＳＴ１２）で、通知部１３２５が、その更新内容を通知用データとして生成し（ステップＳＴ２２）、表示端末１４内のプログラムの通信部１４２へ通知する（ステップＳＴ２３、通知ステップ）点である。
この変更により、図４では非同期で動作していた２つの１秒周期処理を１つの１秒周期にまとめることができる。
【００４７】
以上のように、この実施の形態２によれば、非同期で動作する２つの１秒周期処理を無くすように構成したので、実施の形態１と比較して、表示端末１４に表示される試験結果が欠落する可能性を排除することができる。
【００４８】
なお、実施の形態１，２では、現用ノード１２ａ，１２ｂおよび予備ノード１３はマルチレート対応ＭＰＮＤ部（多重ＴＰＮＤ）１２１ａ，１２１ｂ，１３１を有するものとして説明したが、これに限るものではなく、それぞれがＴＰＮＤを有する場合にも同様に適用可能である。
【００４９】
また、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５０】
１  通信装置、１ａ  Ａ局、１ｂ  Ｂ局、１１ａ，１１ｂ  波長多重部、１２ａ，１２ｂ  現用ノード、１３  予備ノード、１４  表示端末、１４１  表示制御部、１４２  通信部、１２１ａ−１〜１２１ａ−Ｎ，１２１ｂ−１〜１２１ｂ−Ｎ，１３１  マルチレート対応ＭＰＮＤ部、１２２ａ，１２２ｂ，１３２  監視制御基板、１３１１  フレーム送信部、１３１２  フレーム受信部、１３１３  警報状態更新部、１３１４  性能情報蓄積部、１３１５  性能情報クリア部、１３１６  メモリ、１３２１  フレーム送信指示部、１３２２  警報状態取得・更新部、１３２３  性能情報取得・更新部、１３２４  メモリ、１３２５  通知部。
【図１】
0005583154.tif 000002
【図２】
0005583154.tif 000003
【図３】
0005583154.tif 000004
【図４】
0005583154.tif 000005
【図５】
0005583154.tif 000006
【図６】
0005583154.tif 000007